(57)【要約】      （修正有）【課題】キャンバスにたわみを持たせずに施工することが可能で、送風機の稼動によって発生するキャンバスの破損を極力防止することが可能である。【解決手段】キャンバス１１と、ダクト１との接続にキャンバス１１の両端部に取り付けられるフランジ１２とを含むダクト用たわみ継手１０であり、キャンバス１１は、継ぎ手軸方向に沿って伸び縮み可能な波状に形成された構成である。キャンバス１１は、繊維クロスに、アルミニウム箔またはアルミニウム蒸着フィルムを貼り合せ、継ぎ手軸方向に沿って伸び縮み可能な波状に形成された構成である。【選択図】図１
2018066508.tif 000002
【特許請求の範囲】
【請求項１】
キャンバスと、ダクトとの接続に前記キャンバスの両端部に取り付けられるフランジとを含むダクト用たわみ継手であり、
前記キャンバスは、
継ぎ手軸方向に沿って伸び縮み可能な波状に形成された構成であることを特徴とするダクト用たわみ継手。
【請求項２】
前記キャンバスは、
繊維クロスに、
アルミニウム箔またはアルミニウム蒸着フィルムを貼り合せ、
継ぎ手軸方向に沿って伸び縮み可能な波状に形成された構成であることを特徴とするダクト用たわみ継手。
【請求項３】
キャンバスと、ダクトとの接続に前記キャンバスの両端部に取り付けられるフランジとを含むダクト用たわみ継手に用いるキャンバスの製造方法であり、
繊維クロスを引っ張った状態とし、
前記繊維クロスに、アルミニウム箔またはアルミニウム蒸着フィルムを貼り合せ、
前記繊維クロスの引っ張った状態の解除により前記繊維クロスが縮み、
前記キャンバスを継ぎ手軸方向に沿って伸び縮み可能な波状に形成したことを特徴とするダクト用たわみ継手に用いるキャンバスの製造方法。
【発明の詳細な説明】
【技術分野】
【０００１】
この発明は、送風機が稼動することで発生する振動、送風で発生する風圧などの影響で、キャンバスが破損を起すことを極力防止することが可能なダクト用たわみ継手及びダクト用たわみ継手に用いるキャンバスの製造方法に関する。
【背景技術】
【０００２】
近年、ビル等の建築物内部に空調や排煙等を目的に配設される各種のダクトは、ダクト用たわみ継手を用いて連続的につないで建築物の天井や壁に沿って配置されている。このダクト用たわみ継手は、キャンバスと、ダクトとの接続にキャンバスの両端部に取り付けられるフランジとを含む構成のものがある（特許文献１参照）。
【０００３】
このダクト用たわみ継手は、建物が地震などで変形した場合、ダクトも同様に変形してダクトとダクトの変位を吸収する機能、送風機が空気を送ることによって発生する振動や音などを吸収して伝搬を止める機能、送風機は初期稼働時においてファンが回転するときに多少の振動を発生するが、この振動をダクトに直接与えなくする機能などを有している。
【先行技術文献】
【特許文献】
【０００４】
【特許文献１】特開２００９−１８６１５５号公報
【発明の概要】
【発明が解決しようとする課題】
【０００５】
このダクト用たわみ継手のキャンバスは、例えばガラス繊維を含む無機系繊維を用いるが、無機系繊維は強靱で、繊維としては硬いため、柔軟性が乏しく、屈曲に弱い傾向にある。このため、キャンバスにたわみを持たせることで対応しており、送風機が稼動することで発生する振動、送風することで発生する風圧などの影響で、キャンバスが膨らんだり、つぼまったりを繰り返す（図７）。
【０００６】
送風機の初期稼働時には、稼働振動などでキャンバスに変位が発生し（図８）、また、例えば、地震などでダクトがゆがむが、これらの変位吸収もたわみ継手が担っており、その時のキャンバスの動きは、送風機の初期稼動時と似ている。
【０００７】
このように機能するダクト用たわみ継手は、そのキャンバスが、図９（ａ）の理想的な断面曲線で示すように、均等にたわまれて施工されている場合は、皺が生じていないことから皺の部分で破損が発生することは極めて少ないが、図９（ｂ）の実施工時の断面曲線で示すように、実際、偏ってたわむことが多い。
【０００８】
ダクト用たわみ継手が、図１０（ａ），（ｂ）に示すように施工されていると、送風機の稼動によって振動や空気の流れによる伸縮など  が影響し、屈曲が繰り返されることになり、その場合鋭角状にたわむ確率が高く、この部分で破損を起す虞がある（図１０（ａ））。例え小さな破損であっても一旦発生すると更に破損箇所が広がり、いずれ全体の裂け目になり、キャンバスが破壊される一原因となり、たわみ継手としての機能が失われるなどの問題がある。
【０００９】
この発明は、このような従来の問題点を解消するためになされたもので、キャンバスにたわみを持たせず施工することが可能で、送風機の稼動によって発生するキャンバスの破損を極力防止することが可能なダクト用たわみ継手及びダクト用たわみ継手に用いるキャンバスの製造方法を提供することを目的とする。
【課題を解決するための手段】
【００１０】
前記課題を解決し、かつ目的を達成するために、この発明は、以下のように構成した。
【００１１】
請求項１に記載の発明は、
キャンバスと、ダクトとの接続に前記キャンバスの両端部に取り付けられるフランジとを含むダクト用たわみ継手であり、
前記キャンバスは、
継ぎ手軸方向に沿って伸び縮み可能な波状に形成された構成であることを特徴とするダクト用たわみ継手である。
【００１２】
請求項２に記載の発明は、
前記キャンバスは、
繊維クロスに、
アルミニウム箔またはアルミニウム蒸着フィルムを貼り合せ、
継ぎ手軸方向に沿って伸び縮み可能な波状に形成された構成であることを特徴とするダクト用たわみ継手である。
【００１３】
請求項３に記載の発明は、
キャンバスと、ダクトとの接続に前記キャンバスの両端部に取り付けられるフランジとを含むダクト用たわみ継手に用いるキャンバスの製造方法であり、
繊維クロスを引っ張った状態とし、
前記繊維クロスに、アルミニウム箔またはアルミニウム蒸着フィルムを貼り合せ、
前記繊維クロスの引っ張った状態の解除により前記繊維クロスが縮み、
前記キャンバスを継ぎ手軸方向に沿って伸び縮み可能な波状に形成したことを特徴とするダクト用たわみ継手に用いるキャンバスの製造方法である。
【発明の効果】
【００１４】
前記構成により、この発明は、以下のような効果を有する。
【００１５】
請求項１乃至請求項３に記載の発明では、ダクト用たわみ継手のキャンバスは、継ぎ手軸方向に沿って縮み波状に形成された構成であり、キャンバスにたわみを持たせず施工することが可能になり、送風機の稼動によって発生するキャンバスの破損を極力防止することが可能である。
【図面の簡単な説明】
【００１６】
【図１】ダクト用たわみ継手の側面図である。
【図２】キャンバスの断面図である。
【図３】キャンバスの中央部の断面図である。
【図４】キャンバスの端部の断面図である。
【図５】ダクト用たわみ継手に用いるキャンバスの製造方法を説明する図である。
【図６】ダクト用たわみ継手の作動を説明する図である。
【図７】送風機が稼動することで発生する振動、送風することで発生する風圧などの影響でキャンバスが作動する状態を示す図である。
【図８】送風機の初期稼働時の稼働振動などでキャンバスが変位する状態を示す図である。
【図９】ダクト用たわみ継手のキャンバスが破損する原理を説明する図である。
【図１０】ダクト用たわみ継手のキャンバスが破損する状態を示す図である。
【発明を実施するための形態】
【００１７】
以下、この発明のダクト用たわみ継手及びダクト用たわみ継手に用いるキャンバスの製造方法の実施の形態について説明する。この発明の実施の形態は、発明の最も好ましい形態を示すものであり、この発明はこれに限定されない。
【００１８】
（ダクト用たわみ継手）
この実施の形態のダクト用たわみ継手を、図１乃至図４に基づいて説明する。図１はダクト用たわみ継手の側面図、図２はキャンバスの断面図、図３はキャンバスの中央部の断面図、図４はキャンバスの端部の断面図である。
【００１９】
このダクト用たわみ継手１０は、キャンバス１１と、ダクト１との接続にキャンバス１の両端部に取り付けられる枠状のフランジ１２とを含み、ビル等の建築物内部に空調や排煙等を目的に配設される各種のダクト１は、ダクト用たわみ継手１０を用いて連続的につないで建築物の天井や壁に沿って配置される。
【００２０】
キャンバス１１は、継ぎ手軸方向に沿って伸び縮み可能な波状に形成された構成であり、図２に示すように、繊維クロス１１０に、接着剤１１１を介してアルミニウム箔またはアルミニウム蒸着フィルム１１２を貼り合せ、継ぎ手軸方向に沿って伸び縮み可能な波状に形成されている。アルミニウム箔またはアルミニウム蒸着フィルム１１２は、漏れ防止性能を有する。
【００２１】
繊維クロス１１０は、伸縮性、不燃性能を有し、例えば、特殊ニット織り繊維クロスを用いる。繊維クロス１１０は、伸縮性を有するが、アルミニウム箔またはアルミニウム蒸着フィルム１１２は、伸縮性がない。繊維クロス１１０を引っ張り伸ばした状態で、アルミニウム箔またはアルミニウム蒸着フィルム１１２を貼り合わせ、引っ張りを開放すると、繊維クロス１１０が縮むがアルミニウム箔またはアルミニウム蒸着フィルム１１２は伸縮性がないことから、キャンバス１１が伸び縮み可能な波状に形成される。
【００２２】
キャンバス１１が伸び縮み可能な波状に形成されていることから、施工時にキャンバス１１が伸び縮みしてたわみを持たせず施工することが可能になり、偏ったたわみにより発生する皺を無くすことができる。このキャンバス１１に振動などが加わっても伸び縮み可能な波状によって伸縮して振動を吸収し、キャンバス１１の破損を防止することができる。
【００２３】
キャンバス１１は、アルミニウム箔またはアルミニウム蒸着フィルム１１２が外側と内側の表面なるようにして繊維クロス１１０を２枚重ね合せて筒状に加工され、筒状の重ね合せた繊維クロス１１０と繊維クロス１１０の間に例えばピアノ線１２０を挿入して固定し変形抑制措置を施す。フランジ１２は、例えば、アングルフランジと呼ばれる等辺山形鋼を用いており、このフランジ１２を筒状のキャンバス１１の端部１１ａにあてがい、押さえ板１３で端部１１ａを挟み付けてリベット１４で固定し、キャンバス１１の入口並び出口に取付け、ダクト１側にも同様寸法のアングルフランジが施工されており、それらと接合する。
【００２４】
（キャンバスの製造方法）
このダクト用たわみ継手１０に用いるキャンバスの製造方法を、図５に基づいて説明する。この実施の形態のキャンバス１１の製造方法では、例えばニット織りを施した材料の繊維クロス１１０を引っ張り（図５（ａ））、繊維クロス１１０に一定のテンション（引っ張る力）を掛け、この繊維クロス１１０を引っ張って伸ばした状態で接着剤１１１を繊維クロス１１０の表面に塗布する（図５（ｂ））。この引っ張って伸ばした状態の繊維クロス１１０に、接着剤１１１を介してアルミニウム箔またはアルミニウム蒸着フィルム１１２を貼り合せる（図５（ｃ））。貼り合わせが完了すると、繊維クロス１１０の引っ張りを開放する。この繊維クロス１１０の引っ張った状態の解除により伸びている繊維クロス１１０が縮み、キャンバス１１を継ぎ手軸方向に沿って伸び縮み可能な波状に形成することができる（図５（ｄ））。
【００２５】
このようにして、例えばニット織りを施した材料の繊維クロス１１０を用い、ニット織りの特性を損なわず、伸縮可能なキャンバス材料を製造することができる。
【００２６】
（ダクト用たわみ継手の作動）
この実施の形態のダクト用たわみ継手１０は、図６に示すように作動する。ビル等の建築物内部に空調や排煙等を目的に配設される各種のダクト１は、ダクト用たわみ継手１０を用いて連続的につないで建築物の天井や壁に沿って配置されるが、キャンバス１１はたわむことがなく施工され、継ぎ手軸方向に沿って伸び縮み可能な波状に形成された構成である（図６（ａ））。
【００２７】
送風機を稼働すると、ダクト用たわみ継手１０には、送風機が稼動することで発生する振動、送風することで発生する風圧などの影響で、キャンバス１１が膨らんだり、つぼまったりを繰り返す（図６（ｂ））。送風機の初期稼働時には、稼働振動などでキャンバス１１に変位が発生し（図６（ｃ））、また、例えば、地震などでダクトがゆがむが、これらの変位吸収もダクト用たわみ継手１０が担っており、その時のキャンバス１１の動きは、送風機の初期稼動時と似ている。
【００２８】
このように、送風機の稼働時には、キャンバス１１が膨らんだり、つぼまったりを繰り返し、また送風機の初期稼働時には、キャンバス１１に変位が発生するが、キャンバス１１にたわみを持たせないで施工し、キャンバス１１が伸び縮み可能な波状によって伸縮性を有しているために、ダクト１の変形や送風機の振動などを吸収し、キャンバス１１の破損を極力防止することが可能である。
【産業上の利用可能性】
【００２９】
この発明は、送風気が稼動することで発生する振動、送風で発生する風圧などの影響で、キャンバスが破損を起すことを極力防止するダクト用たわみ継手及びダクト用たわみ継手に用いるキャンバスの製造方法に適用でき、キャンバスにたわみを持たせず施工することが可能で、送風機の稼動によって発生するキャンバスの破損を極力防止することが可能である。
【符号の説明】
【００３０】
１  ダクト
１０  ダクト用たわみ継手
１１  キャンバス
１２  フランジ
１４  リベット
１１０  繊維クロス
１１１  接着剤
１１２  アルミニウム箔またはアルミニウム蒸着フィルム
１２０  ピアノ線
【図１】
2018066508.tif 000003
【図２】
2018066508.tif 000004
【図３】
2018066508.tif 000005
【図４】
2018066508.tif 000006
【図５】
2018066508.tif 000007
【図６】
2018066508.tif 000008
【図７】
2018066508.tif 000009
【図８】
2018066508.tif 000010
【図９】
2018066508.tif 000011
【図１０】
2018066508.tif 000012